(57)【要約】【課題】  開口部を有する電子機器において、開口部から内部の電子部品に印加される静電気による破壊を防ぎ、開口部から突出した電気導通部材を変形から保護する。【解決手段】  外装体に設けられた開口部の内周の少なくとも一部にアース用金属部品を突出させる。そうすることで静電気がアース部材に印加され、内部に配置された電子部品の破壊を防ぐことができる。また、前記外装体の開口部形状の一部が電気導通部材を覆うように突出したリブ形状とする。【選択図】  図１
2007220530.tif 000002
【特許請求の範囲】
【請求項１】
外装体に開口部を有し、前記開口部内に配置された電子部品を有し、前記開口部の内周の少なくとも一部に電気導電部材が突出していることを特徴とする電子機器。
【請求項２】
前記開口部形状の一部が、前記電気導電部材の一部を覆い、かつ、先端は前記電気導電部材よりも、開口部の内側に突出していることを特徴とする請求項１に記載の電子機器。
【請求項３】
前記開口部はコネクタ差込用開口部であって、前記電子部品はコネクタであることを特徴とする請求項１、２に記載の電子機器。
【発明の詳細な説明】
【技術分野】
【０００１】
本発明は外装体に開口部を有し、その開口部に静電対策が施された電子機器に関するものである。
【背景技術】
【０００２】
従来、電子機器には、製品を組み立てた後からでも、ソフトウェアやファームウェアのバージョンアップ等の電気的作業を行うことができるように、電子機器の内部に配置された基板に、外部からコネクタを差し込むことができるように、開口部を有した構造となっている。
【０００３】
従来より、この構造は例えばビデオカメラのような開閉可能な表示部を持つ電子機器においては、表示部を開けた内側、電子機器本体の底面、バッテリー収納部等、外装ではあるが目立たない場所に開口部が設けられており、カバー部品等により蓋がされているものである。このとき、開口部から、電子機器の内部部品までの距離が近い場合、開口部とカバーとの隙間から、静電気が印加され、部品破壊がおこる場合がある。このため、従来製品では、前記カバー部品の貼り付け範囲を拡大することや、前記電子機器の開口部から、内部部品までの距離を長く取ることにより、沿面距離を伸ばし、静電気による破壊を防いでいた。
【０００４】
また、従来の静電気破壊の対策としては、特許文献１に示されているように、表示部の周囲に金属板を配置し、表示部を静電破壊から保護するものがあった。
【０００５】
前記以外にも開口部から、電気導電性部材がはみ出さないように配置され、内部部品を静電破壊から保護する構造があった。
【特許文献１】特開２００２−２６１４５６号公報
【発明の開示】
【発明が解決しようとする課題】
【０００６】
しかしながら前述の上記従来例、沿面距離を長くする方法では、近年、電子機器の小型化が進んでおり、小型化を目指している製品において、開口部から内部に配置された電子部品までの沿面距離を長く確保することが難しくなっている。
【０００７】
また後述した特許文献１では表示部の周りにアース部材を配置しているが、この従来例の場合は表示部本体が開口部の表面を覆っているため、内部の電子部品までの沿面距離が長く、表示部の破壊を防ぐためにアース部材を配置したものであった。
【０００８】
次に、その他の開口部の周囲に電気導通部材を配置している例を図８に示す。
【０００９】
図８は、小型化等により、開口部８０１とコネクタ８０２との距離が近づいた場合を示している。このとき、従来から用いられている静電対策と同様に、アース部材８０３を前記開口部８０１より突出させずに、配置している。この配置で静電気が前記開口部８０１と外装蓋の隙間から印加されると静電気印加経路８０４を伝わる。従来製品では、開口部８０１とアース部材８０３との距離が前記開口部８０１と前記コネクタ８０２との距離より短かったため、前記アース部材８０３に静電気が印加されていた。しかし、製品の小型化が進むにつれ、開口部８０１とコネクタ８０２の配置が近づき、前記開口部８０１と、前記アース部材８０３との距離よりも短くなると、前記コネクタ８０２に静電気が印加されてコネクタ８０２を破壊する恐れがある。
【００１０】
本出願の目的は、外装体の開口部から電気導通部材を突出させることで、開口部から電子部品までの距離を近くし、静電気破壊を防ぐ構造を提案することである。
【００１１】
また第二の発明の目的として、開口部にコネクタや部品等を差し込む際に電気導通部材にあたり、変形させてしまう可能性があるため、電気導通部材の変形を防ぐ構造を提案することである。
【課題を解決するための手段】
【００１２】
本出願に係る電子機器の第一の発明は、外装体に開口部を有し、前記開口部内に配置された電子部品を有し、前記開口部の内周の少なくとも一部に電気導通部材が突出していることを特徴とする。
【００１３】
また、本発明のその他の特徴とするところは、前記外装体の開口部形状の一部が前記電気導通部材を覆うように突出していることを特徴とする。
【発明の効果】
【００１４】
以上説明したように、本発明によれば、開口部と電気部品との距離が近づいて配置された場合でも、開口部から電気導通部材が突出して配置されていることにより、静電気は電気導通部材に印加され、内部の基板やコネクタ等の電子部品を静電気による破壊から保護することができる。
【００１５】
また、第二の発明によれば、開口部形状が電気導通部材を覆うように突出していることにより、コネクタ等の部品を開口部から挿入した際に、突出した開口部形状に当たることにより、電気導通部材の変形を防ぐことができる。
【発明を実施するための最良の形態】
【００１６】
本発明の実施の形態を図面に基づき説明する。本発明では電子機器をビデオカメラやデジタルスチルカメラのような撮像装置を例に説明する。
【実施例１】
【００１７】
図１は撮像装置の画像表示部を開状態にし、バッテリーを取り外した状態を示している。１０１は撮像装置本体であり、撮像レンズにより撮影し、得られた画像信号を記録媒体に記録する。１０２は表示部であり、撮像装置１０１により撮影した画像を表示するものである。１０３はバッテリー収納部であり、撮像装置１０１の駆動用電源バッテリーを収納する部分である。１０４は開口部であり、撮像装置１０１を組み立てた後にでも、電気的調整を行うため、簡単に内部にある基板にアクセスできるように開けている部分である。１０５は外装蓋であり、開口部１０４が開いたままでは外観的に見栄えが悪く、また内部に異物混入等の問題が発生するため、粘着やビス止め等により、簡単に開口部を封じるための蓋である。
【００１８】
本実施例において、開口部１０４は、表示部１０２を開状態とし、更にバッテリ収納部１０３からバッテリを外し、更に外装蓋１０５を取り外すことにより見える構造になっている。
【００１９】
前記開口部１０４の詳細を図２に基づき説明する。２０２は電子機器内部に配置されたコネクタであり、前記開口部１０４内に配置されている。２０３は電気導通部材である金属板をアース部材として使用しており、前記開口部１０４の内側に突出しており、開口部１０４から内部に配置された電子部品へ向かって印加する静電気の経路上に配置されているアース部材である。２０４は外装体であり、撮像装置１０１本体を構成する外装部品であり、開口部１０４を有している。
【００２０】
次に図３に基づき、開口部を封止した状態の図を示す。
【００２１】
外装蓋１０５を粘着材により貼り付けることにより、開口部１０４を封止する。これにより外観から、開口部１０４が見えなくなる。このときの開口部１０４の断面図を図４に基づき示す。尚、図４は図３に示すＡ−Ａ断面である。
【００２２】
外装体２０４と開口部１０４を封じるための外装蓋１０５との隙間から基板４０１に実装されているコネクタ２０２に向かって印加する静電気印加経路（４０２）上にアース部材２０３を配置する。それによって、コネクタ２０２に静電気が印加される前にアース部材２０３に印加され、コネクタ２０２を静電気による破壊から保護することができる。
【００２３】
上記に示したように、開口部から内部部品までの距離が短くなり、外装蓋１０５にぎりぎりまで寄せてコネクタ２０２を配置しても、開口部１０４とコネクタ２０２とを結んだ直線上にアース部材２０３を配置することで、コネクタ２０２を静電気から保護することができる。
【００２４】
次に図５に基づき説明する。図５は、外部差込コネクタを差し込んだ際の図である。
【００２５】
５０１は前記外装体２０４の一部を突出させたリブである。５０２は外部差込用コネクタを示している。
【００２６】
ここで、突出リブ５０１を、アース部材２０３を覆うような形状とする。これにより、外部から電気的接続を行うために外部差込用コネクタ５０２を差し込む際に、５０４突出リブがあることにより、５０２外部差込用コネクタが、アース部材２０３より先に突出リブ５０１に当たりアース部材２０３の変形を防ぐことができる。
【実施例２】
【００２７】
本発明の第２の実施の形態を図６に基づき説明する。図６は後に示す図７のＢ−Ｂ断面図である。ジャック６０１は、ＡＶケーブル用のジャックやＤＣケーブル用のジャックであり、ジャックの一部が外観に露出しており、ジャック本体へ印加される静電には強いものである。６０２は外装体であり、この外装体にはジャックの形状に合わせて開口部があり、開口部からジャック６０１が突出している。６０３はアース部材であり、６０４は静電に弱い電子部品であり、基板６０５に実装されている。
【００２８】
アース部材６０３を配置せずにジャック６０１と外装体６０２との隙間から静電気が飛ぶと、内部に配置された電子部品６０４に対して弱い電子部品が破壊する危険がある。このため、アース部材６０３を配置することにより、ジャック６０１と外装体６０２との隙間から、電子部品６０４に静電気が印加される前に、アース部材６０３に静電気が印加され、電子部品６０４を破壊から保護することができる。
【００２９】
次に図７に基づき開口部とリブの関係を説明する。
【００３０】
７０１は、外装体６０２に開いた開口部である。ここで突出リブ７０２が６０３アース部材を覆うように突出していることにより、ジャック６０１を開口部７０１に組み込む際に、突出リブ７０２に、先に当たることでアース部材６０３の変形を防止する。更に突出リブ７０２を用い、ジャック６０１の位置決めをしている。
【図面の簡単な説明】
【００３１】
【図１】第一の実施例に係る撮像装置の全体図
【図２】第一の実施例に係る撮像装置開口部の拡大図
【図３】第一の実施例に係る撮像装置開口部に外装蓋を貼り付けた図
【図４】第一の実施例に係る撮像装置開口部の断面図
【図５】第一の実施例に係る撮像装置開口部にコネクタを挿入した図
【図６】第二の実施例に係る撮像装置開口部の断面図
【図７】第二の実施例に係る撮像装置開口部
【図８】従来の開口部付近に配置された静電対策部品を示した図
【符号の説明】
【００３２】
１０１  撮像装置本体
１０２  表示部
１０３  バッテリ収納部
１０４  開口部
１０５  外装蓋
２０２  コネクタ
２０３  アース部材
２０４  外装体
４０１  基板
４０２  静電気印加経路
５０１  突出リブ
５０２  外部差込コネクタ
６０１  ジャック
６０２  外装体
６０３  アース部材
６０４  電子部品
６０５  基板
６０６  静電気印加経路
７０１  開口部
７０２  突出リブ
８０１  開口部
８０２  コネクタ
８０３  アース部材
８０４  静電気印加経路
【図１】
2007220530.tif 000003
【図２】
2007220530.tif 000004
【図３】
2007220530.tif 000005
【図４】
2007220530.tif 000006
【図５】
2007220530.tif 000007
【図６】
2007220530.tif 000008
【図７】
2007220530.tif 000009
【図８】
2007220530.tif 000010